(57)【特許請求の範囲】
【請求項１】
容器の口部内周面に嵌合可能な内筒と、この内筒を取り囲むように垂下して容器の口部外周面と嵌合可能な外筒とを有し、この外筒がその周方向に沿って帯状に分離可能な注出栓において、
当該帯状部分の先端から外筒の周方向に沿って薄肉の把持部を延在させ、この把持部と重なり合う外筒を、前記把持部の上端から先端にかけて当該把持部を取り囲むように窪ませてこの窪み部分に、前記把持部と前記外筒の下端との間に隙間が形成されるように前記把持部を収納すると共に、
当該把持部を前記窪み部に対して破断可能な連結部で固定したことを特徴とする注出栓。
【請求項２】
請求項１において、前記把持部の一部を切り欠いて、指掛け用の隙間を設けたことを特徴とする注出具。
【請求項３】
請求項１又は２において、前記把持部に、凹部若しくは凸部又はこれらの組み合わせからなる滑り止めを設けたことを特徴とする注出具。
【発明の詳細な説明】
【技術分野】
【０００１】
本発明は、内筒と外筒とを有しその相互間に容器口部を嵌合させて当該容器に装着されると共にその外筒が周方向に沿って分離可能な注出具であって、充填ラインでの供給時や容器に装着した状態での搬送時に予期せぬ分離が生じないようにするための技術に関するものである。
【背景技術】
【０００２】
注出具は、その内筒及び外筒により容器の口部に強固に嵌合されることで、容器の口部に装着された状態では、内筒又はこれに繋がる注出筒により良好な注出が可能である一方、プルリングを設けることで引きちぎりによる開封も可能である。
【０００３】
その一方、容器の口部との嵌合が強固であるが故に、使用後の容器を回収するにあたって、容器から取り外すことが難しいことがあった。
【０００４】
このため、本願出願人は既に、注出具の外筒がその周方向に沿って帯状に分離できるようにすることで、容器の口部からの取り外しを容易にしたものを提案済みである（例えば、特許文献１参照）。
【特許文献１】実開平７−９７５１号公報
【発明の開示】
【発明が解決しようとする課題】
【０００５】
また、従来の注出具は、外筒を帯状に分離するに際し、帯状部分の先端部を自由な状態にしておき、それを把持して引っ張ることで外筒が分離される様に構成している。
【０００６】
しかしながら、上記の構成によれば、容器に内容物を充填するラインにおいて、パーツフィーダ内に注出具を供給したときや、パーツフィーダから一度に大量に供給された注出具が整列機を通るとき、注出具同士が絡まってしまうことが考慮される。また、注出具同士の絡まりが強固であると、充填ラインに供給する前に外筒が分離してしまうことも懸念される。
【０００７】
本発明は、上述した点に着目してなされたものであり、その目的とするところは、組み立てラインへの供給時や製品流通時では分離し難く、廃棄・回収等の必要な場面でのみ分離させることができる注出具を提供することである。
【課題を解決するための手段】
【０００８】
本発明である注出具は、容器の口部内周面に嵌合可能な内筒と、この内筒を取り囲むように垂下して容器の口部外周面と嵌合可能な外筒とを有し、この外筒がその周方向に沿って帯状に分離可能な注出栓において、当該帯状部分の先端から外筒の周方向に沿って薄肉の把持部を延在させ、この把持部と重なり合う外筒を、前記把持部の上端から先端にかけて当該把持部を取り囲むように窪ませてこの窪み部分に、前記把持部と前記外筒の下端との間に隙間が形成されるように前記把持部を収納すると共に、当該把持部を前記窪み部に対して破断可能な連結部で固定したことを特徴とするものである。
【０００９】
本発明において、「外筒がその周方向に沿って帯状に分離可能である」とは、内筒に対して外筒全体が帯状に分離可能であることは勿論、外筒の下側部分の内周面に突起を設け、この突起を容器の口部外周面に引っ掛けることでより強固な固定を実現している場合には、その下側部分のみが帯状に分離可能であることも含む。
【００１０】
本発明に従えば、かかる連結部は、把持部を窪み部の側面に連結するものとすることができる。また、本発明に係る連結部は、把持部を窪み部の底面に連結するものとすることもできる。
【００１１】
更に、本発明に従えば、前記把持部の一部を切り欠いて、指掛け用の隙間を設けることが好ましい。また、前記把持部には、凹部若しくは凸部又はこれらの組み合わせからなる滑り止めを設けることが好ましい。
【００１２】
更に、本発明に従えば、容器の口部に通じる注出筒を内筒と一体に又は別体に設けたり、プルリングによる引きちぎりで抜栓の可能な構成を採用したり、キャップを設ける等を行うことができる。
【発明の効果】
【００１３】
本発明である注出具は、帯状に分離される帯状部分の先端から外筒の周方向に沿って薄肉の把持部を延在させ、この把持部と重なり合う外筒を窪ませてこの窪み部分に、前記把持部と前記外筒の下端との間に隙間が形成されるように前記把持部を収納すると共に、その把持部を外筒の窪み部分に対して破断可能な連結部で連結したことで、組み立てライン供給時や製品流通時等においても、かかる把持部が引っ掛かることなく、注出具同士が絡み合うことがない。その結果、組み立てライン供給時や製品流通時等において外筒が分離してしまう懸念も払拭される。
【００１４】
従って、本発明によれば、組み立てラインへの供給時や製品流通時では分離し難く、廃棄・回収等の必要な場面でのみ分離させることができる注出具を提供することができる。
【００１５】
また、本発明に係る把持部の一部を切り欠いて、指掛け用の隙間を設ければ、把持部を押し込んでも引き起こしても前記連結部を破断できるため、容器の口部との嵌合を解除させ易く、分別の際の使い勝手がよい。
【００１６】
加えて、本発明において、前記把持部に、凹部若しくは凸部又はこれらの組み合わせからなる滑り止めを設ければ、把持部の引き起こしが更に容易になるため、分別の際の使い勝手が更に向上する。
【発明を実施するための最良の形態】
【００１７】
以下、図面を参照して、本発明である注出具を詳細に説明する。
【００１８】
図1は、本発明の一形態であるキャップ付き注出具100を一部断面で示す側面図である。また、図2は、同注出具を容器から取り外した状態を下方から示す斜視図である。更に、図3(a)〜(c)はそれぞれ、同注出具の側面図、その要部拡大図及び下面図である。
【００１９】
符号110は、容器の口部の内周面に嵌合する内筒である。符号120は、内筒110の外周面から突出して当該内筒110に一体に繋がる環状の肩部である。符号130は、肩部120から内筒110を取り囲むように垂下して容器の口部外周面と嵌合する外筒である。
【００２０】
即ち、注出具100には、内筒110と外筒130との相互間に、下向きに開放された環状溝ｇが形成されている。このため、注出具100は、その環状溝ｇに容器の口部を嵌合させることで固定保持されるとも言える。
【００２１】
外筒130の内周面131には、その下端面132の付近に環状の突出部133が設けられている。この突出部133は、容器の口部外周面に形成した環状の凹部に引っ掛かって強固な固定を実現する。
【００２２】
外筒130には、その周方向（軸線Ｏ周り）に沿って、一定の外力を加えることで破断可能な薄肉部134が設けられている。これにより、外筒130の一部を、その周方向に沿って一定の力で引っ張ることで、当該外筒130の一部は、帯状の部分（以下、「帯状部分」という）135として分離することができる。
【００２３】
また、本形態では、外筒130の全周に亘って薄肉部134を形成しないことで、外筒130の一部を基部136として、肩部120を介して内筒110に連結させたままにしている。この場合、外筒130は、内筒110に対して完全に分離するのでなく、基部136を介して内筒110に繋がったままになるので、薄肉部134を効率的に破断させることができる。
【００２４】
更に、本形態では、外筒130の一部として分離される帯状部分135に関し、その先端135aから外筒130の周方向に沿って図2に示すように薄肉の把持部137を延在させると共に、この把持部137と重なり合う外筒130を窪ませて、この窪み部分138に図1や図3に示すように把持部137を収納している。
【００２５】
符号Ｃ1は、把持部137の先端137aを、窪み部138を形作る縁面のうち、周方向縁面138aに一体に連結する連結片である。連結片Ｃ1は、一定以上の外力を加えることで破断させることができる。これにより、把持部137の先端137aを内筒110側に押し付ける等して、連結片Ｃ1を破断させれば、把持部137の先端137aは自由な状態になる。
【００２６】
これに対し、本形態に係る把持部137の先端137aは、その両隅を切り欠いて傾斜隅部137bとすることで形成されている。これにより、把持部137の先端137aと窪み部138との間に、指掛け用の隙間Ｓを形成している。
【００２７】
本形態である注出具100は、帯状に分離される帯状部分130の先端130aから周方向に沿って薄肉の把持部137を延在させ、この把持部137と重なり合う外筒130を窪ませてこの窪み部分138に当該把持部137を収納すると共に、その把持部137を窪み部分138に対して破断可能な連結部Ｃ1で連結したことで、組み立てライン供給時や製品流通時等においても、かかる把持部137が引っ掛かることなく、注出具100同士が絡み合うことがない。その結果、組み立てライン供給時や製品流通時等において外筒130が帯状に分離してしまう懸念も払拭される。
【００２８】
従って、本形態によれば、組み立てラインへの供給時や製品流通時では分離し難く、廃棄・回収等の必要な場面でのみ分離させることができる注出具を提供することができる。
【００２９】
更に、本形態の如く、把持部137の隅部を切り欠いて、指掛け用の隙間Ｓを設ければ、把持部137を押し込んでも引き起こしても連結部Ｃ1を破断できるため、容器の口部との嵌合を解除させ易く、分別の際の使い勝手がよい。
【００３０】
なお、図4(a),(b)はそれぞれ、同注出具の第1及び第2の変形例を示す要部拡大図である。
【００３１】
図4(a)に示す第2の変形例は、把持部137の先端137aを、外筒130の下端側132の隅部のみを切り欠いて傾斜隅部137bとすることで形成している。これにより、把持部137の先端137aと窪み部138との間に、下側に向かって大きく開放された指掛け用の隙間Ｓを形成している。
【００３２】
これに対し、図4(b)に示す第3の変形例は、把持部137の先端137aを、外筒130の下端側132とは反対の隅部のみを切り欠いて傾斜隅部137bとすることで形成している。これにより、把持部137の先端137aと窪み部138との間に、上側に向かって大きく開放された指掛け用の隙間Ｓを形成している。
【００３３】
加えて、第2及び第3の変形例のいずれにも、把持部137に、凹部若しくは凸部又はこれらの組み合わせからなる複数の滑り止め137sが設けられている。この場合、把持部137の押し込みや引き起こしが更に容易になるため、分別の際の使い勝手が更に向上する。
【００３４】
本発明に従えば、上記形態及びその変形例に係る連結片Ｃ1と替えて、連結片Ｃ1と共に、窪み部138の上端側縁面138eに対して把持部137の上端ｅ1を連結片Ｃ1と同様の連結片で一体に連結してもよい。即ち、連結片Ｃ1は、把持部137の縁面に対して連結する構成であれば、上述の形態及びその変形例に限定されるものではない。また、連結片Ｃ1は、少なくとも１つ存在すればよいが、複数設けることも可能である。
【００３５】
更に、図5(a)〜(c)はそれぞれ、本発明の第2の形態である注出具200の側面図、その要部拡大図及び下面図である。なお、以下の説明において、先の説明と同一部分は、同一符号をもって、その説明を省略する。
【００３６】
符号Ｃ2は、図5(c)に示すように、把持部137を窪み部138の底面138fに一体に連結する連結片である。連結片Ｃ2は、図5(b)に示すように、軸線Ｏに延在する軸線方向壁Ｃ2(a)と、この軸線方向壁Ｃ2(a)と一体に繋がる周方向に延在する周方向壁Ｃ2(b)とからなるＬ字形の連結片である。
【００３７】
連結片Ｃ2は、把持部137を内筒110と反対側の外向きに引っ張って、一定以上の外力を加えることで破断する。これにより、把持部137の先端137aを外向きに引っ張って、連結片Ｃ2を破断させれば、把持部137の先端137aは自由な状態になる。
【００３８】
即ち、本形態である注出具200も、帯状部分130の先端130aから周方向に沿って薄肉の把持部137を延在させ、この把持部137と重なり合う外筒130を窪ませてこの窪み部分138に当該把持部137を収納すると共に、その把持部137を窪み部分138に対して破断可能な連結部Ｃ2で連結したことで、組み立てライン供給時や製品流通時等においても、かかる把持部137が引っ掛かることなく、注出具100同士が絡み合うことがない。その結果、組み立てライン供給時や製品流通時等において外筒130が帯状に分離してしまう懸念も払拭される。
【００３９】
従って、本形態によっても、組み立てラインへの供給時や製品流通時では分離し難く、廃棄・回収等の必要な場面でのみ分離させることができる注出具を提供することができる。なお、連結片Ｃ2は、軸線方向壁Ｃ2(a)と周方向壁Ｃ2(b)との少なくとも一方で構成することもできる。即ち、連結片Ｃ2は、把持部137を窪み部138の底面138fに対して連結する構成であれば、本形態に限定されるものではない。
【００４０】
なお、上述の各形態及びその変形例には、帯状部分135の下端面135e(132)及び内周面135s(132)に、当該下端面135eから突出部133にかけて延在する複数の滑り止めＡsが設けられている。
【００４１】
図6(a)〜(c)はそれぞれ、図1等の滑り止めＡsを拡大して示す要部断面図、同滑り止めＡsを外筒130の内周面131側から示す正面図及び、同滑り止めＡsを外筒130の外周面側から示す正面図である。
【００４２】
滑り止めＡsは、下端面135eから内周面135sにかけて膨出する凸部として構成されている。更に詳細には、図6(b)に示すように、内周面135sから下端面135eにかけて末広がりに膨出し、その外観形状が、同図及び図6(c)に示すように曲面で構成されている。
【００４３】
帯状部分135の下端面135e及び内周面131に設けた突出部133に、当該下端面135eから突出部133にかけて延在する凸部からなる複数の滑り止めＡsを設ければ、外筒130を、図２に示す如く、帯状に分離する際に復元力が生じても、指の腹に引っ掛かり易く、滑り難い。
【００４４】
従って、かかる構成によれば、外筒130が滑り難く、容器の口部との嵌合を解除させ易い注出具100を提供することができる。
【００４５】
このため、上述のような構成の滑り止めＡsを採用すれば、帯状部分135の外周面に滑り止めＡsを設けた場合に比べて、外筒135の一部又は全部を帯状部分135として分離し易い。従って、容器の口部との嵌合を最も解除させ易く、効率的な分別な可能となる。
【００４６】
なお、滑り止めＡsは、帯状部分135のみならず、把持部137に設けてもよい。また、本発明に従えば、滑り止めＡsを設けるに加え、帯状部分135の外周面に、更なる滑り止めとしてローレット等を施すとも可能である。かかる構成の如く、帯状部分135の外周面にも滑り止めを設ければ、帯状部分135を更に分離させ易くなる。
【００４７】
上述したところは、本発明の好適な形態を説明するものであるが、特許請求の範囲において、種々の変更を加えることができる。例えば、本発明によれば、図１に示すように、肩部120に上方に起立する環状の周壁140を設け、この環状周壁140の外周面に形成したねじ部140sにより、別体のキャップ300を着脱可能に設けることができる。また、この周壁140の内側には、容器の口部に通じる注出筒150が一体に設けられ、良好な注出が可能となっている。更に、注出筒150の内側には、プルリング160による引きちぎりによって注出口を形成する抜栓部170を設けることができる。
【００４８】
また、上述した各形態に採用される様々な構成はそれぞれ、目的及び用途に応じて適宜組み合わせることができる。
【産業上の利用可能性】
【００４９】
本発明は、醤油やドレッシング等の食品関係に限定されることなく、液体や粘性ある内容物の注出に利用することができる。
【図面の簡単な説明】
【００５０】
【図１】本発明の一形態であるキャップ付き注出具を一部断面で示す側面図である。
【図２】同注出具を容器から取り外した状態を下方から示す斜視図である。
【図３】(a)〜(c)はそれぞれ、同注出具の側面図、その要部拡大図及び下面図である。
【図４】(a),(b)はそれぞれ、同注出具の第1及び第2の変形例を示す要部拡大図である。
【図５】(a)〜(c)はそれぞれ、本発明の第2の形態である注出具の側面図、その要部拡大図及び下面図である。
【図６】(a)〜(c)はそれぞれ、図１の滑り止めを拡大して示す要部断面図、同滑り止めを外筒130の内周面側から示す正面図及び、同滑り止めを外筒の外周面側から示す正面図である。
【符号の説明】
【００５１】
100   注出具
110   内筒
120   環状肩部
130   外筒
131   外筒内周面
132   外筒下端面
133   外筒内周面側突出部
134   薄肉部
135   帯状部分
136   基部
137   把持部
137a  把持部先端
137b  把持部傾斜隅部
137s  滑り止め
138   窪み部
138a  窪み部周方向端面
138e  窪み部上端側縁面
138f  窪み部底面
140   環状周壁
150   注出筒
160   プルリング
170   抜栓部
200   注出具
300   キャップ
Ａs   滑り止め
Ｃ1   連結片（連結部）
Ｃ2   連結片（連結部）
Ｃ2(a) 軸線方向壁
Ｃ2(b) 周方向壁Ｃ2(b)
Ｓ    指掛け用隙間
【図１】
0005345802.tif 000002
【図２】
0005345802.tif 000003
【図３】
0005345802.tif 000004
【図４】
0005345802.tif 000005
【図５】
0005345802.tif 000006
【図６】
0005345802.tif 000007